【手続補正書】
【提出日】平成24年8月27日(2012.8.27)
【手続補正１】
【補正対象書類名】特許請求の範囲
【補正対象項目名】全文
【補正方法】変更
【補正の内容】
【特許請求の範囲】
【請求項１】
コンピュータにより実施される方法であって、
治療計画システムにて、複数の放射線治療計画パラメータを受信することであって、前記複数の放射線治療計画パラメータが、放射線ビームを介して解剖学的領域に適用される放射線の特性を表す、受信することと、
前記解剖学的領域に方向付けられる、複数の放射線ビームの最適化された治療計画を取得するように、前記治療計画システムを使用して、前記複数の放射線治療計画パラメータを連続的に最適化することと、を含み、
連続的に最適化することは、スクリプトによって特定される順に、前記複数の治療計画パラメータを、連続的かつ個々に最適化することを含み、前記スクリプトは、最適化ステップのシーケンスである、方法。
【請求項２】
前記複数の治療計画パラメータは、最適化費用関数の複数の最適化制約を備え、連続的かつ個々に最適化することは、
前記複数の最適化制約のうちの第１の最適化制約を第１の目標値に最適化するように、前記スクリプトの第１の最適化ステップを実行することと、
前記第１の最適化ステップの結果を、後続の最適化ステップに対する追加的制約として適用することと、
前記追加的制約を破ることなく、前記複数の最適化制約のうちの１つ以上の追加的最適化制約を最適化するように、前記スクリプトの１つ以上の後続の最適化ステップを実行することと、を含む、請求項１に記載の方法。
【請求項３】
連続的かつ個々に最適化することは、前記１つ以上の後続の最適化ステップの実行の間に、緩和値によって前記第１の最適化ステップの前記結果を最大限緩和することをさらに含む、請求項４に記載の方法。
【請求項４】
連続的かつ個々に最適化することは、１つ以上の絶対的制約のうちのいずれかを破ることなく、前記最適化ステップのそれぞれを連続的に最適化することを含む、請求項２に記載の方法。
【請求項５】
前記第１の最適化ステップは、標的関心体積（ＶＯＩ）に適用され、前記１つ以上の後続の最適化ステップのうちの少なくとも１つは、重要構造（ｃｒｉｔｉｃａｌ  ｓｔｒｕｃｔｕｒｅ）に適用される、請求項２に記載の方法。
【請求項６】
前記スクリプトをメモリに保存することをさらに含む、請求項１に記載の方法。
【請求項７】
前記スクリプトの前記複数の最適化ステップのそれぞれが、治療計画の目的に対応し、連続的かつ個々に最適化することは、
患者の前立腺の少なくとも一部分を含有する計画標的体積（ＰＴＶ）に適用される、前記複数の最適化ステップのうちの第１のステップを定義することであって、前記第１の最適化ステップは、第１の治療計画の目的を達成するように、前記ＰＴＶへの最小線量を最適化すること（ＯＭＩ）を含む、定義することと、
前記ＰＴＶに適用される、前記複数の最適化ステップのうちの第２のステップを定義することであって、前記第２の最適化ステップは、第２の治療計画の目的を達成するように、前記ＰＴＶの均一性を最適化すること（ＯＨＩ）を含む、定義することと、
直腸の少なくとも一部分を含有する第１の関心体積（ＶＯＩ）に適用される、前記複数の最適化ステップのうちの第３のステップを定義することであって、前記第３の最適化ステップは、第３の治療計画の目的を達成するように、前記第１のＶＯＩの平均線量を最適化すること（ＯＭＥ）を含む、定義することと、
膀胱の少なくとも一部分を含有する第２のＶＯＩに適用される、前記複数の最適化ステップのうちの第４のステップを定義することであって、前記第４の最適化ステップは、第４の治療計画の目的を達成するように、前記第２のＶＯＩの平均線量を最適化すること（ＯＭＥ）を含む、定義することと、
個々かつ順々に、前記第１、第２、第３、および第４の最適化ステップを連続的に実行することと、を含む、請求項１に記載の方法。
【請求項８】
前記連続的に最適化することの間に破られ得ない、１つ以上の絶対的制約を定義することをさらに含み、
前記１つ以上の絶対的制約は、以下、
前記治療計画のための最大モニタユニット（ＭＵ）、
ビームごとの最大ＭＵ、および
ノードごとの最大ＭＵ、のうちの少なくとも１つを備える、請求項１に記載の方法。
【請求項９】
連続的かつ個々に最適化することは、
前記解剖学的領域に標的体積の少なくとも一部分を含有する、計画標的体積（ＰＴＶ）を少なくとも部分的に囲む、第１のシェル構造に対する最大線量を定義することと、
前記ＰＴＶを少なくとも部分的に囲む、第２のシェル構造に対する最大線量を定義することであって、前記第１のシェル構造に対する前記最大線量は、前記第２のシェル構造に対する前記最大線量より少ない、定義することと、をさらに含む、請求項１に記載の方法。
【請求項１０】
前記第１の最適化ステップの制約は、１つ以上の絶対的制約を含み、前記第２の最適化ステップの制約は、前記第１の最適化ステップの結果と、前記絶対的制約とを含み、前記第３の最適化ステップの制約は、前記第１の最適化ステップの前記結果と、前記第２の最適化ステップの結果と、前記絶対的制約とを含み、前記第４の最適化ステップの制約は、前記第１および第２の最適化ステップの前記結果と、前記第３の最適化ステップの結果と、前記絶対的制約とを含む、請求項１に記載の方法。
【請求項１１】
前記第１の最適化ステップの制約は、１つ以上の絶対的制約を含み、前記第２の最適化ステップの制約は、前記絶対的制約と、後続の最適化ステップの実行の時に、第１の緩和値以下逸脱し得る、前記第１の最適化の結果とを含み、前記第３の最適化ステップの制約は、前記絶対的制約と、後続の最適化ステップによる実行の時に、第１の緩和値逸脱し得る、前記第１の最適化ステップの前記結果と、後続の最適化ステップによる実行の時に、第２の緩和値以下逸脱し得る、前記第２の最適化の結果とを含み、前記第４の最適化ステップの制約は、前記絶対的制約と、後続の最適化ステップによる実行の時に、第１の緩和値以下逸脱し得る、前記第１の最適化ステップの前記結果と、後続の最適化ステップによる実行の時に、第２の緩和値以下逸脱し得る、前記第２の最適化ステップの前記結果と、第３の緩和値以下逸脱し得る、前記第３の最適化ステップの結果とを含む、請求項１に記載の方法。
【請求項１２】
前記スクリプトの前記複数の最適化ステップのそれぞれが、治療計画の目的に対応し、連続的かつ個々に最適化することは、
患者の脊椎付近の計画標的体積（ＰＴＶ）に適用される、前記複数の最適化ステップのうちの第１のステップを定義することであって、前記第１の最適化ステップは、第１の治療計画の目的を達成するように、前記ＰＴＶへの最小線量を最適化すること（ＯＭＩ）を含む、定義することと、
前記ＰＴＶに適用される、第２の最適化ステップを定義することであって、前記第２の最適化ステップは、第２の治療計画の目的を達成するように、前記ＰＴＶの適用範囲を最適化すること（ＯＣＯ）を含む、定義することと、
脊椎の少なくとも一部分を含有する第１の関心体積（ＶＯＩ）に適用される、第３の最適化ステップを定義することであって、前記第３の最適化ステップは、第３の治療計画の目的を達成するように、前記第１のＶＯＩの平均線量を最適化すること（ＯＭＥ）を含む、定義することと、
第４の治療計画の目的を達成するために、前記治療計画におけるモニタユニット（ＭＵ）の総数を最適化するように、第４の最適化ステップを定義することと、
個々にかつ順々に、前記第１、第２、第３、および第４の最適化ステップを連続的に最適化することと、を含む、請求項１に記載の方法。
【請求項１３】
前記スクリプトの前記複数の最適化ステップのそれぞれが、治療計画の目的に対応し、連続的かつ個々に最適化することは、
患者の肺付近の計画標的体積（ＰＴＶ）に適用される、第１の最適化ステップを定義することであって、前記第１の最適化ステップは、第１の治療計画の目的を達成するように、前記ＰＴＶへの最小線量を最適化すること（ＯＭＩ）を含む、定義することと、
前記ＰＴＶに適用される、第２の最適化ステップを定義することであって、前記第２の最適化ステップは、第２の治療計画の目的を達成するように、前記ＰＴＶの適用範囲を最適化すること（ＯＣＯ）を含む、定義することと、
第３の治療計画の目的を達成するために、前記治療計画におけるモニタユニット（ＭＵ）の総数を最適化するように、第３の最適化ステップを定義することと、
前記ＰＴＶを少なくとも部分的に囲む第１のシェル構造に適用される、第４の最適化ステップを定義することであって、前記第４の最適化ステップは、第４の治療計画の目的を達成するように、前記第１のシェル構造の共形性を最適化すること（ＯＣＩ）を含む、定義することと、
前記ＰＴＶを少なくとも部分的に囲む第２のシェル構造に適用される、第５の最適化ステップを定義することであって、前記第５の最適化ステップは、第５の治療計画の目的を達成するように、前記第２のシェル構造の共形性を最適化すること（ＯＣＩ）を含み、前記第１のシェル構造に対する前記最大線量は、前記第２のシェル構造に対する前記最大線量より少ない、定義することと、
個々にかつ順々に、前記第１、第２、第３、第４、および第５の最適化ステップを連続的に最適化することと、を含む、請求項１に記載の方法。
【請求項１４】
放射線治療計画を生成する、治療計画システムであって、
前記放射線治療計画の複数の放射線治療計画パラメータを受信する、インターフェースデバイスであって、前記複数の放射線治療計画パラメータが、放射線ビームを介して解剖学的領域に適用される放射線の特性を表す、インターフェースデバイスと、
前記解剖学的領域に方向付けられる、複数の放射線ビームの最適化された治療計画を取得するように、前記複数の放射線治療計画パラメータを連続的に最適化する前記インターフェースに連結される、処理デバイスと、を備える、治療計画システムを備える、システム。
【請求項１５】
前記治療計画システムから、前記最適化された放射線治療計画を受信するように連結される、治療送達システムをさらに備え、前記治療計画システムは、前記最適化された放射線治療計画に従い、放射線ビームを適用する放射線源を備える、請求項１４に記載のシステム。
【請求項１６】
前記放射線源は、直線加速器（ＬＩＮＡＣ）である、請求項１５に記載のシステム。
【請求項１７】
前記ＬＩＮＡＣは、５以上の自由度を有するロボットアームに載置される、請求項１６に記載のシステム。
【請求項１８】
前記ＬＩＮＡＣは、ジンバル式ヘッドアセンブリに載置される、請求項１６に記載のシステム。